(57)【要約】 【課題】  設置工事の手間を軽減し、省スペース化を図り、ホームシアターシステムを使用する際の準備動作を簡略化することができるプロジェクターを提供することを目的とする。【解決手段】  天井に配置されている基材６と、基材６に取り付けられたプロジェクター本体７とが備えられているプロジェクター１において、基材６には、照明９またはスピーカー８のうち少なくとも一方が備えられている。【選択図】      図２
2005184235.tif 000002
【特許請求の範囲】
【請求項１】
天井に配置されている基材と、該基材に取り付けられたプロジェクター本体とが備えられているプロジェクターにおいて、
前記基材には、照明またはスピーカーのうち少なくとも一方が備えられていることを特徴とするプロジェクター。
【請求項２】
請求項１記載のプロジェクターにおいて、
前記照明または前記スピーカーのうち少なくとも一方は、前記プロジェクター本体と一括に制御されていることを特徴とするプロジェクター。
【請求項３】
請求項１または２記載のプロジェクターにおいて、
前記プロジェクター本体を動かすプロジェクター本体動作手段が備えられていることを特徴とするプロジェクター。
【請求項４】
請求項１から３のいずれか記載のプロジェクターにおいて、
前記基材の下方には、蓋部材開閉手段により開閉自在に設けられた目隠し用の蓋部材が配置されていることを特徴とするプロジェクター。
【発明の詳細な説明】
【技術分野】
【０００１】
本発明は、スクリーンや壁等に映写するプロジェクター本体が備えられているプロジェクターに関する。
【背景技術】
【０００２】
近年、スクリーンや壁等に映写するプロジェクターによるホームシアターシステムが多数提供されている。プロジェクターによるホームシアターシステムは、ＤＶＤ等の再生機に、映像を映し出すプロジェクターを接続すると共に、ＤＶＤ等の再生機にアンプを介してサウンドを出力するスピーカーを接続することで、大画面及び高音質で映画等を楽しむシステムである。
【０００３】
従来、プロジェクターとしては、テーブル等の上に置かれるプロジェクターの他に、天井から吊下げられるプロジェクターが提供されている。このプロジェクターによれば、邪魔にならない天井にプロジェクターが配置されているため、使用しないときに片付ける必要がなく、プロジェクターの出し入れの手間を省略することができるとともに、ホームシアターの省スペース化を図ることができる。（例えば、特許文献１参照。）。
【特許文献１】特開平１１−１５０３７７号公報  （第２−３頁、第１図）
【発明の開示】
【発明が解決しようとする課題】
【０００４】
しかしながら、上記した従来のプロジェクターでは、ホームシアターシステムを設置する際には、プロジェクターの他に照明を天井に別個に設置しなければならないため、工事に手間がかかると共に、スピーカーを配置するスペースを確保しなければならないという問題が存在する。また、ホームシアターシステムを使用する際には、プロジェクターを再生機に接続すると共にスピーカーを再生機に直接或いはアンプを介して接続し、更にプロジェクターにより映写された映像を鮮明に写すために照明の照度を調節して室内の明るさを調節する必要があり、プロジェクターを使用するホームシアターシステムの準備が煩雑であるという問題が存在する。
【０００５】
本発明は、上記した従来の問題が考慮されたものであり、プロジェクター本体及び照明の設置する工事の手間を軽減すると共に、省スペース化を図ることができるプロジェクターを提供することを目的としている。また、ホームシアターシステムを使用する際の準備動作を簡略化することができるプロジェクターを提供することを目的とする。
【課題を解決するための手段】
【０００６】
請求項１記載の発明は、天井に配置されている基材と、該基材に取り付けられたプロジェクター本体とが備えられているプロジェクターにおいて、前記基材には、照明またはスピーカーのうち少なくとも一方が備えられていることを特徴としている。
【０００７】
このような特徴により、照明またはスピーカーのうち少なくとも一方とプロジェクター本体とが一体化されているため、照明を天井に配置する作業は省略される。また、スピーカーは天井に配置されるため、室内にスピーカーを設置するスペースを確保する必要はない。さらに、照明またはスピーカーのうち少なくとも一方とプロジェクター本体とが一体化されているため、天井は外観上整然となる。
【０００８】
請求項２記載の発明は、請求項１記載のプロジェクターにおいて、前記照明または前記スピーカーのうち少なくとも一方は、前記プロジェクター本体と一括に制御されていることを特徴としている。
【０００９】
このような特徴により、照明またはスピーカーのうち少なくとも一方とプロジェクター本体とは連動され、照明またはスピーカーのうち少なくとも一方とプロジェクター本体とをそれぞれ別に操作する必要はなく、操作が簡略化される。
【００１０】
請求項３記載の発明は、請求項１または２記載のプロジェクターにおいて、前記プロジェクター本体を動かすプロジェクター本体動作手段が備えられていることを特徴としている。
【００１１】
このような特徴により、プロジェクター本体が動くことでプロジェクター本体による投影画面の大きさ及び位置は調節される。
【００１２】
請求項４記載の発明は、請求項１から３のいずれか記載のプロジェクターにおいて、前記基材の下方には、蓋部材開閉手段により開閉自在に設けられた目隠し用の蓋部材が配置されていることを特徴としている。
【００１３】
このような特徴により、プロジェクター本体を使用しないときには蓋部材により目隠しされる。
【発明の効果】
【００１４】
本発明に係るプロジェクターによれば、プロジェクター本体が取り付けられた前記基材には、照明またはスピーカーのうち少なくとも一方が備えられているため、照明またはスピーカーのうち少なくとも一方とプロジェクター本体とが一体化され、照明を天井に配置する作業は省略され、プロジェクター本体及び照明の設置する工事の手間を軽減することができる。また、スピーカーは天井に配置されるため、室内にスピーカーを設置するスペースを確保する必要はなく、省スペース化を図ることができる。さらに、照明またはスピーカーのうち少なくとも一方とプロジェクター本体とが一体化されているため、天井は外観上整然となり、シンプルな天井外観を構成することができる。
【発明を実施するための最良の形態】
【００１５】
以下、本発明に係るプロジェクターの実施の形態について、図面に基いて説明する。
【００１６】
図１に示す符号１は、ホームシアターを楽しむためのプロジェクターである。図１に示すように、プロジェクター１は、居室２内の天井３に設けられており、居室２内の壁面４や図示せぬスクリーンには映像５が映し出される。
【００１７】
図２は居室２内から見たプロジェクター１の斜視図であり、図３はプロジェクター１の断面図である。図２，図３に示すように、プロジェクター１は、天井３に形成された開口３ａに嵌め込まれている箱状の基材６と、映像を映し出すプロジェクター本体７と、音声が出力されるスピーカー８と、居室２内を照らす照明９と、基材６の下方に配置された蓋部材１０と、プロジェクター本体７を動かすプロジェクター本体動作手段１１と、蓋部材１０を開閉する蓋部材開閉手段１２とから構成されている。
【００１８】
基材６は長方形の天板１３と断面形状コ形の外枠材１４とから構成されており、外枠材１４は天板１３の外周に沿って天板１３の下面に接合されている。基材６は、居室２のスラブ１５の底面から吊りボルト１６を介して吊下げられており、吊りボルト１６の上端はスラブ１５内に定着されたインサート１７に螺合されている。また、吊りボルト１６の下端部は、天板１３の両端部及び外枠材１４の上端部にそれぞれ形成された図示せぬ孔に挿通されており、外枠材１４の上端部の下方に突出された吊りボルト１６の下端にはナット１８が螺合されている。
【００１９】
基材６の中にはプロジェクター本体７が格納された円柱形のプロジェクターケース１９が配置されている。プロジェクター本体７の外周面にはレンズ７ａが設けられており、プロジェクターケース１９はプロジェクター本体動作手段１１を介して基材６に取り付けられている。
【００２０】
図４は図２に示すＡ−Ａ間の断面図であり、図５は図２に示すＢ−Ｂ間の断面図である。図４，図５に示すように、プロジェクター本体動作手段１１は、プロジェクター本体７を基材６の軸方向に移動させるスライド移動手段２０と、プロジェクター本体７を水平方向に回転させる水平回転手段２１と、プロジェクター本体７の傾きを調節する傾斜調節手段２２とから構成されている。
【００２１】
スライド移動手段２０は、一端から突出された回転軸２３ａを鉛直方向に回転させるスライド移動モーター２３と、回転軸２３ａの先端に設けられた二層の第１ギア２４と、第１ギア２４の前方及び後方にそれぞれ配置された第２ギア２５ａ，２５ｂと、第１ギア２４と前後の第２ギア２５ａ，２５ｂの間にそれぞれ巻回されたチェーン２６ａ，２６ｂと、第２ギア２５ａ，２５ｂにそれぞれ挿通された軸材２７ａ，２７ｂと、前後の軸材２７ａ，２７ｂの両端にそれぞれ設けられたピニオン２８ａ，２８ｂと、基材６の長辺方向に延在する外枠材１４の対向する内側面にそれぞれ付設されてピニオン２８ａ，２８ｂに噛合されているラック２９とから構成されている。
【００２２】
スライド移動モーター２３は中空円柱形のケース３０内に設置されており、軸材２７ａ，２７ｂの両端部はケース３０の外周面に形成された孔３０ａにそれぞれ挿通されている。ラック２９は基材６の軸方向にそれぞれ延在されており、ピニオン２８ａ，２８ｂはラック２９の軸方向に沿ってラック２９上をそれぞれ回転移動される。
【００２３】
水平回転手段２１は、下端から突出された回転軸３１ａを水平方向に回転させる水平回転モーター３１と、吊下部材３２を介してプロジェクターケース１９に取り付けられた回転盤３３とから構成されている。水平回転モーター３１は円形のケース３０内の中央部分に設置されており、回転軸３１ａの下端は回転盤３３の上面中央に固定されている。吊下部材３２の上端は、回転盤３３の一端部に挿通されてナット３２ａによって上下から挟み込まれて固定され、吊下部材３２の下端は、プロジェクターケース１９の上面端部に鉛直方向に回転自在に取り付けられている。
【００２４】
傾斜調節手段２２は、下端から突出されたピストン３４ａを上下方向に往復移動させる傾斜調節シリンダー３４と、プロジェクターケース１９を鉛直方向に回転自在に吊持する吊下部材３２とから構成されている。傾斜調節シリンダー３４は回転盤３３の他端部に設置されており、ピストン３４ａの下端にはピン３４ｂが設けられている。ピン３４ｂはプロジェクターケース１９の上面に付設された取付部３５に形成された長孔３５ａ内に挿通されており、ピストン３４ａの下端は長孔３５ａに沿ってスライド自在に取り付けられている。
【００２５】
一方、図２，図３に示すように、スピーカー８及び照明９は、基材６の天板１３にそれぞれ配設されている。スピーカー８及び照明９は天板１３にそれぞれ嵌め込まれており、照明９はスポットライト３６と蛍光灯パネル３７とから構成されている。
【００２６】
また、蓋部材１０は、半透明のガラスからなる複数の目隠し板３８と、基材６に沿って並べられた複数の目隠し板３８の一方の長辺端部に設けられた額部材３９とから構成されている。複数の目隠し板３８は一方の端部に設けられた額部材３９と他方の端部に設けられた連結部材４０とで連結されている。
【００２７】
蓋部材開閉手段１２は、下端に形成された回転部４１ａを水平方向に回転させる開閉モーター４１と、額部材３９の裏面に水平方向に回転自在に取り付けられた回転支点部４２と、回転部４１ａと回転支点部４２との間に架設されたロッド材４３とから構成されている。開閉モーター４１は、側方に張り出された天板１３の張出部１３ａに垂設されており、開閉モーター４１の下端部は天井３に形成された孔３ａに挿通されている。また、天井３の上方には図示せぬエアコンに接続されたチャンバー４４が配管されており、チャンバー４４の先端は基材６の縁部に形成されたエアコンルーバー５０に接続されている。
【００２８】
図６はプロジェクター１の回路を表す概略図である。図６に示すように、プロジェクター１を操作する操作盤４５は、水平回転モーター３１，傾斜調節シリンダー３４，スライド移動モーター２３，開閉モーター４１，プロジェクター本体７，スピーカー８及び照明９をそれぞれ個別で制御する個別制御手段４６と、開閉モーター４１，プロジェクター本体７，スピーカー８及び照明９を一元的に制御する一括制御手段４７とにそれぞれ接続されている。個別制御手段４６及び一括制御手段４７とスピーカー８とはアンプ４８を介して接続されており、一括制御手段４７と照明９とはプロジェクター本体７から映し出された投影画面の大きさを検知する投影画面サイズ検知手段４９を介して接続されている。
【００２９】
図１，図６に示すように、投影画面サイズ検知手段４９は、例えば、映像を映し出す壁面４に光を反射する図示せぬ反射板を設け、プロジェクター本体７から反射板に向けて光を当て、反射板によって反射する光を感知することで、プロジェクター本体７と壁面４との距離を測定するものであり、スライド移動するプロジェクター本体７の位置を検知することでプロジェクター本体７と壁面４との距離を測定してもよい。投影画面サイズ検知手段４９は測定されたプロジェクター本体７と壁面４との距離から投影画面サイズを算出し、これを受けて照明９の照度を調節するものである。
【００３０】
次に、上記した構成からなるプロジェクター１の使用してホームシアターを楽しむ方法について説明する。
【００３１】
図１，図３に示すように、通常、基材６の真下に蓋部材１０を配置しており、蓋部材１０の目隠し板３８によって基材６に備えられたプロジェクター本体７、スピーカー８及び照明９を目隠しする。照明９から発せられる光は半透明の目隠し板３８を透過し、目隠し板３８を透過した光によって居室２内は明るくなっている。
【００３２】
図２，図３，図６に示すように、プロジェクター１の使用してホームシアターを楽しむ場合、まず、プロジェクター１をＤＶＤプレーヤー等の図示せぬ再生機に接続する。次に、操作盤４５を操作し、一括制御手段４７によって、蓋部材１０を開き、プロジェクター本体７を作動させるとともにスピーカー８をオンにし、さらに照明９の照度を調節して居室２内を所定の明るさにする作業を一括で行う。
【００３３】
具体的には、一括制御手段４７を介して、蓋部材開閉モーター４１を駆動させると共にプロジェクター本体７及びスピーカー８を作動させ、さらに投影画面サイズ検知手段４９によって投影画面サイズを検知して照明９を所定の照度まで落として居室２内を暗くする。
【００３４】
蓋部材開閉モーター４１が駆動すると、回転部４１ａは水平方向に回転し、回転部４１ａに一端が取り付けられていると共に基材６の長辺方向に延在されたロッド材４３を回転させる。ロッド材４３が回転すると、ロッド材４３の他端に取り付けられた回転支点部４２は基材６の側方に隣接する位置から基材６から離れる方向に移動し、複数の回転支点部４２が回転自在に取り付けられた額部材３９は基材６の側方に隣接する位置から基材６から離れる方向に移動する。額部材３９が移動することで額部材３９に取り付けられた目隠し板３８は基材６の真下位置から横にスライド移動する。
【００３５】
また、照明９は、投影画面サイズ検知手段４９によって検知されたプロジェクター本体７から映し出された投影画面のサイズに応じて最も見え易くなる照度まで自動で下がる。なお、投影画面サイズ検知手段４９によって検知されたプロジェクター本体７から映し出された投影画面のサイズが大きく暗い場合、照明９の照度は下がって居室２内は暗くなり、投影画面のサイズが小さく明るい場合、照明９の照度は上がって居室２内は明るくなる。
【００３６】
次に、操作盤４５を操作し、個別制御手段４６によって、水平回転手段２１、傾斜調節手段２２及びスライド移動手段２０を稼動させて、プロジェクター本体７の位置、水平方向の向き及び傾きを調節し、プロジェクター本体７から映し出される投影画面の大きさ及び位置を調節する。投影画面の大きさは、プロジェクター本体７と映像が映し出される壁面４との距離によって決まり、プロジェクター本体７との距離が近いほど投影画面は小さくなり、プロジェクター本体７との距離が遠いほど投影画面は大きくなる。また、投影画面の水平方向の位置は、プロジェクター本体７に付設されたレンズ７ａの水平方向の向きによって決まり、投影画面の鉛直方向の位置は、プロジェクター本体７の傾斜角度によって決まる。
【００３７】
図４、図５に示すように、具体的には、個別制御手段４６を介してスライド移動モーター２３を駆動させて回転軸２３ａを回転させ、回転軸２３ａの先端に設けられた第１ギア２４を回転させる。第１ギア２４が回転することでチェーン２６ａ，２６ｂを介して前後の第２ギア２５ａ，２５ｂがそれぞれ回転し、前後の軸材２７ａ，２７ｂがそれぞれ回転する。前後の軸材２７ａ，２７ｂがそれぞれ回転することで軸材２７ａ，２７ｂの両端にそれぞれ設けられたピニオン２８ａ，２８ｂはラック２９上をそれぞれ回転しながら移動し、スライド移動手段２０が設けられたケース３０は基材６の軸方向に沿って移動し、プロジェクター本体７はス基材６の軸方向に沿ってライド移動する。
【００３８】
また、個別制御手段４６を介して水平回転モーター３１を駆動させて回転軸３１ａを回転させ、回転軸３１ａの下端に設けられた回転盤３３を水平方向に回転させる。回転盤３３が水平方向に回転することで、吊下部材３２を介して回転盤３３に取り付けられたプロジェクターケース１９は水平方向に回転し、プロジェクターケース１９内に格納されたプロジェクター本体７は回転する。
【００３９】
また、個別制御手段４６を介して傾斜調節シリンダー３４を駆動させてピストン３４ａを下方に移動させ、一端が回転盤３３に垂設された吊下部材３２に鉛直方向に回転自在に取り付けられて他端がピストン３４ａの先端に水平方向に移動自在に取り付けられたプロジェクターケース１９を傾斜させる。プロジェクターケース１９が傾斜することで、プロジェクターケース１９内に格納されたプロジェクター本体７は傾斜する。
【００４０】
スライド移動手段２０により調節されたプロジェクター本体７の位置よって、プロジェクター本体７から映し出される投影画面サイズは変化し、この投影画面サイズの変化を投影画面サイズ検知手段４９によって検知し、投影画面サイズに応じて照明９の照度を投影画面が観え易い明るさに調節する。なお、蓋部材開閉モーター４１、プロジェクター本体７、スピーカー８及び照明９はそれぞれ個別制御手段４６を介して個別に操作することができる。
【００４１】
上記した構成からなるプロジェクター１によれば、プロジェクター本体７が取り付けられた基材６には、スピーカー８及び照明９が備えられているため、スピーカー８及び照明９とプロジェクター本体７とが一体化され、照明９を天井３に配置する作業は省略され、プロジェクター本体７及び照明９の設置する工事の手間を軽減することができる。また、スピーカー８は天井３に配置されるため、室内にスピーカー８を設置するスペースを確保する必要はなく、省スペース化を図ることができる。さらに、照明９またはスピーカー８のうち少なくとも一方とプロジェクター本体７とが一体化されているため、天井３は外観上整然となり、シンプルな天井外観を構成することができる。
【００４２】
また、スピーカー８及び照明９は、一括制御手段４７を介してプロジェクター本体７と一括に制御されているため、スピーカー８及び照明９とプロジェクター本体７とは連動され、スピーカー８及び照明９とプロジェクター本体７とをそれぞれ別に操作する必要はなく、操作が簡略化される。これによって、プロジェクター１を使用する際の準備の手間を軽減することができる。
【００４３】
また、スライド移動手段２０、水平回転手段２１及び傾斜調節手段２２からなるプロジェクター本体７を動かすプロジェクター本体動作手段１１が備えられているため、スライド移動手段２０によりプロジェクター本体７は移動され、水平回転手段２１によりプロジェクター本体７は水平方向に回転され、傾斜調節手段２２によりプロジェクター本体７は傾斜される。このようにプロジェクター本体７が動くことでプロジェクター本体７による投影画面の大きさ及び位置は調節される。これによって、壁面４の面積や位置に応じて投影画面を調節することができる。
【００４４】
また、基材６の下方には、蓋部材開閉手段１２により開閉自在に設けられた目隠し用の蓋部材１０が配置されているため、プロジェクター１はプロジェクター本体７を使用しないときには蓋部材１０により目隠しされる。これによって、プロジェクター本体７を使用しないときにプロジェクター本体７やスピーカー８が居室２内から見えず、天井外観は整然とすることができる。
【００４５】
以上、本発明に係るプロジェクターの実施の形態について説明したが、本発明は上記した実施の形態に限定されるものではなく、その趣旨を逸脱しない範囲で適宜変更可能である。例えば、上記した実施の形態では、プロジェクター１にはスピーカー８及び照明９の双方が備えられているが、本発明は、スピーカー８または照明９のいずれか一方を備えるプロジェクターでもよい。
【００４６】
また、上記した実施の形態では、プロジェクター本体動作手段１１は、プロジェクター本体７を基材６の軸方向に移動させるスライド移動手段２０と、プロジェクター本体７を水平方向に回転させる水平回転手段２１と、プロジェクター本体７の傾きを調節する傾斜調節手段２２とから構成されているが、本発明は、プロジェクター本体動作手段１１にプロジェクター本体７を昇降させる昇降手段が備えられ、プロジェクター本体７が基材６内或いは基材６上から下方に降りてくる構成としてもよい。
【００４７】
また、上記した実施の形態では、長方形の基材６が備えられたプロジェクター１について説明しているが、本発明は、基材６が円形状に形成された円形のプロジェクターでもよく、この場合、プロジェクター本体を円形のプロジェクターの外周に沿って移動させてもよい。
【図面の簡単な説明】
【００４８】
【図１】本発明に係るプロジェクターの実施の形態を表す断面図である。
【図２】本発明に係るプロジェクターの実施の形態を表す斜視図である。
【図３】本発明に係るプロジェクターの実施の形態を表す断面図である。
【図４】本発明に係るプロジェクターの実施の形態を表す断面図である。
【図５】本発明に係るプロジェクターの実施の形態を表す断面図である。
【図６】本発明に係るプロジェクターの実施の形態を表す概略図である。
【符号の説明】
【００４９】
１  プロジェクター
３  天井
６  基材
７  プロジェクター本体
８  スピーカー
９  照明
１０  蓋部材
１１  プロジェクター本体動作手段
１２  蓋部材開閉手段
【図１】
2005184235.tif 000003
【図２】
2005184235.tif 000004
【図３】
2005184235.tif 000005
【図４】
2005184235.tif 000006
【図５】
2005184235.tif 000007
【図６】
2005184235.tif 000008